(57)【要約】【課題】撮影機能を用い、視線が集中するテレビ放送視聴中に団欒の様子を撮影し、保存する電子機器を提供する。【解決手段】実施形態の電子機器は、カメラと、検出手段と、判定手段と、設定手段と、制御手段と、を具備する。カメラは、画像を記録する。検出手段は、前記カメラが記録した画像中の人物の数を検出する。判定手段は、前記カメラが記録した画像中の人物の顔の笑顔度を判定する。設定手段は、前記カメラが前記画像を記録する時間、前記画像を記録する前記人物の数及び前記人物の笑顔度うちの少なくとも一つを設定する。制御手段は、前記カメラが記録した前記画像のうち、前記画像中の前記人物の数が指定した数より多く、前記画像中の前記人物の笑顔度の累積点が高い画像を保存するよう制御する。【選択図】図１
2014128008.tif 000002
【特許請求の範囲】
【請求項１】
画像を記録するカメラと、
前記カメラが記録した画像中の人物の数を検出する検出手段と、
前記カメラが記録した画像中の人物の顔の笑顔度を判定する判定手段と、
前記カメラが前記画像を記録する時間、前記画像を記録する前記人物の数及び前記人物の笑顔度うちの少なくとも一つを設定する設定手段と、
前記カメラが記録した前記画像のうち、前記画像中の前記人物の数が指定した数より多く、前記画像中の前記人物の笑顔度の累積点が高い画像を保存するよう制御する制御手段と、
を具備する電子機器。
【請求項２】
前記制御手段は、前記人物の数が前記指定した数より多い場合に前記画像を記録する請求項１記載の電子機器。
【請求項３】
前記制御手段は、特定の人数の人物がいる場合に、前記画像を記録する請求項２記載の電子機器。
【請求項４】
前記制御手段は、前記指定された時間帯に所定の又は指定された間隔で前記画像を記録する請求項１〜３のいずれかに記載の電子機器。
【請求項５】
映像を表示する表示装置をさらに具備し、前記表示装置が表示する映像と前記記録した画像を関連づけて前記画像を保存する請求項１〜４のいずれかに記載の電子機器。
【請求項６】
前記表示装置が表示する映像を前記人物が注視したタイミングで、前記画像を記録する請求項５記載の電子機器。
【請求項７】
前記表示装置は、前記画像を記録するための照明光を提供する請求項５または６に記載の電子機器。
【請求項８】
前記カメラは、前記表示装置が表示する映像の色に基づいて前記記録した画像を色補正する請求項５〜７のいずれかに記載の電子機器。
【請求項９】
表示装置が表示する映像を視聴者が注視するタイミングを検出し、
表示装置が表示する映像を注視する視聴者を撮影し、
表示装置が表示する映像と撮影した画像を関連づけて保存する
電子機器の制御方法。
【発明の詳細な説明】
【技術分野】
【０００１】
この発明は、電子機器及びその制御方法に関する。
【背景技術】
【０００２】
撮影機能を持つテレビジョン受信装置（電子機器）が普及している。
【先行技術文献】
【特許文献】
【０００３】
【特許文献１】特開２００４−１５８９５０号公報
【発明の概要】
【発明が解決しようとする課題】
【０００４】
撮影機能を持つテレビジョン受信装置において、例えばユーザが画面を見ていない、等を検出してディスプレイの照明を暗くする技術がある。
【０００５】
しかしながら、撮影機能としての使い方としては、多くの可能性がある。
【０００６】
この発明の目的は、撮影機能を有効に利用し、例えば家族が集まり、しかも家族の視線が集中するテレビ放送視聴中に、家族の団欒の様子を撮影し、保存する電子機器及びその制御方法を提供することである。
【課題を解決するための手段】
【０００７】
実施形態の電子機器は、実施形態の電子機器は、カメラと、検出手段と、判定手段と、設定手段と、制御手段と、を具備する。カメラは、画像を記録する。検出手段は、前記カメラが記録した画像中の人物の数を検出する。判定手段は、前記カメラが記録した画像中の人物の顔の笑顔度を判定する。設定手段は、前記カメラが前記画像を記録する時間、前記画像を記録する前記人物の数及び前記人物の笑顔度うちの少なくとも一つを設定する。制御手段は、前記カメラが記録した前記画像のうち、前記画像中の前記人物の数が指定した数より多く、前記画像中の前記人物の笑顔度の累積点が高い画像を保存するよう制御する。
【図面の簡単な説明】
【０００８】
【図１】実施形態を適用する電子機器の一例を示す。
【図２】実施形態を適用する電子機器の顔認識部の一例を示す。
【図３】実施形態を適用する電子機器の撮影時間の設定の一例を示す。
【図４】実施形態を適用する電子機器の撮影した画像の保存の一例を示す。
【図５】実施形態を適用する電子機器の撮影時間の設定の一例を示す。
【図６】実施形態を適用する電子機器の撮影時間の設定の一例を示す。
【図７】実施形態を適用する電子機器の撮影のタイミングの一例を示す。
【図８】実施形態を適用する電子機器の撮影のタイミングの一例を示す。
【図９】実施形態を適用する電子機器の撮影した画像の再生の一例を示す。
【図１０】実施形態を適用する電子機器の撮影した画像の再生の一例を示す。
【図１１】実施形態を適用する電子機器の撮影した画像の再生の一例を示す。
【図１２】実施形態を適用する電子機器の撮影した画像の再生の一例を示す。
【図１３】実施形態を適用する電子機器の撮影時の照明光の一例を示す。
【図１４】実施形態を適用する電子機器の撮影時の照明光の一例を示す。
【発明を実施するための形態】
【０００９】
以下、図面を参照して、本発明の実施の一形態について説明する。
【００１０】
図１は、電子機器、例えばテレビジョン放送受信装置（以下テレビ装置と称する）の一例を示す。なお、実施形態においては、電子機器としてテレビ装置を例に説明するが、撮影機能があれば、例えばパーソナルコンピュータ（ＰＣ（Personal Computer））やタブレット等であってもよい。また、以下に説明する要素や構成は、マイクロコンピュータ（処理装置、ＣＰＵ（Central Processing Unit））により、ソフトウエアで実現するものであってもよいし、ハードウエアで実現するものであってもよい。また、表示装置が表示するコンテンツの取得あるいは出力の方法としては、空間波（電波）の利用、ケーブル（光ファイバを含む）やインターネット・プロトコル（ＩＰ）通信網等のネットワークの利用もしくは半導体メモリ等の記録媒体の利用、等、任意である。なお、コンテンツは、ストリームや番組、もしくは情報と称する場合があり、映像及び音声あるいは音楽等を含む。また、映像は、動画と静止画、あるいはテキスト（コード化された符号列で示される文字や記号等で表される情報）、ならびにその任意の組み合わせを含む。
【００１１】
図１において、テレビ装置１は、チューナ制御部１１、映像出力部１２、音声出力部１３、カメラ制御部１４、音声入力部１５、映像合成部１６、ＯＳＤ制御部１７、タイマー制御部１８、ＥＰＧ情報取得部１９及び顔認識部１１０等を有する制御用マイコン１０を有する。制御用マイコン１０は、メモリ部１１８が保持する制御用プログラム１１８ａにより、後段に説明するあらかじめ設定された操作や、及びリモコン信号受信部１１６で受けたユーザリモコン１２０からの操作入力に基づいて、システム（テレビ装置１）を動作させる。なお、リモコン１２０による操作入力は、例えばタブレット装置やスマートフォンと呼ばれる携帯可能な端末装置（以下、携帯端末と称する）等が保持するアプリケーション（ソフトウエア）に従う、通信網を経由する制御指示であってもよい。また、ディスプレイ１１２がテレビ装置１と一体的であり、タッチパネル機能（ディスプレイ１１２と一体に形成されるタッチパネル）を有する場合、リモコン１２０による操作入力の一部または全部を、タッチパネルによる操作入力とすることも可能である。
【００１２】
テレビ装置１は、チューナ制御部１１によりチューナ１１１の制御を行い、映像出力部１２において、チューナ１１１が受信する（選局した）ＴＶ（テレビ放送の）番組の映像（Video）を、ディスプレイ１１２に表示する。音声出力部１３は、その映像の音声や音響（Audio）を、スピーカ１１３に出力する。
【００１３】
カメラ制御部１４は、テレビ装置１に備え付けられたカメラ１１４の制御を行うもので、あらかじめユーザにより設定された条件、例えば家族が集まり、しかも家族の視線が集中する番組の視聴中、等に撮影を行うものである。なお、カメラ１１４は、テレビ装置１に対して着脱可能である。また、カメラ１１４は、例えば携帯電話装置等を兼ねるものであってもよい。
【００１４】
撮影されたカメラ１１４からの映像は、メモリ部１１８の映像データ管理部１１８ｂにて、一旦、キャッシュあるいはワークメモリ等の１次メモリ上で管理され、あらかじめユーザにより設定された条件で、不揮発メモリやＨＤＤ（Hard Disk Drive）等や、ネットワークＮＴＷを経由したクラウドサービス上の２次メモリに保存される。
【００１５】
映像合成部１６は、あらかじめユーザにより設定された条件で撮影された１次メモリ上の映像データに、例えばメモリ部１１８が保持するアイコンデータ１１８ｃや、撮影時に表示されていたビデオメモリ１１８ｄが保持するテレビ映像すなわち番組との合成を行う。
【００１６】
ＥＰＧ情報取得部１９は、合成されるテレビ映像の追加情報として、例えばチャンネル情報、番組情報、出演者、等を付加する。
【００１７】
ＯＳＤ制御部１７は、ユーザのリモコン１２０の操作に従いメニュー画面を表示させ、カメラ１１４が動作する条件の設定を受けつける。ＯＳＤ制御部１７はまた、映像データ管理部１１８ｂにおいて、管理、保存されている映像データをテレビ装置１の画面（ディスプレイ１１２）に表示させ、さらに、ＧＵＩ（Graphical User Interface）画面を表示させて、ユーザからの操作指示の入力に従う、制御コマンドの出力、等を行う。
【００１８】
顔認識部１１０は、図２により一例を示すが、カメラ１１４で撮影した映像から顔認識を行い、笑顔度の判定や、撮影した画像の中に写されている人物（視聴者）等の被写体の数、あるいはテレビ方法を視聴している視聴者の数、等を判断する。
【００１９】
タイマー制御部１８は、ユーザが設定した撮影条件において、カメラ１１４による撮影を行う時間帯を判断し、保存候補の画像を定期的にサンプリングするための時間制御を行う。
【００２０】
顔認証部１１０は、ＣＰＵ（主制御部）１１０−１、画像インタフェース（Ｉ／Ｆ）部１４２、通信インタフェース（Ｉ／Ｆ）部１４３、顔検出部１１４、笑顔判定部１４５、記憶部１４６等を含む。
【００２１】
ＣＰＵ１１０−１は、制御用マイコン１０による制御に従い、カメラ１１４が撮影した画像（静止画）を、画像インタフェース部１１２を通じて取り込み、顔検出部１１４による視聴者（人物）の判定、笑顔判定部１４５による画像中の視聴者（人物）の笑顔度を判定する。このとき、例えばペットのみが写っている画像は、保存の対象から除外してもよい。なお、画像インタフェース部１１２は、カメラ１１４が撮影した画像の解像度、等を顔検出部１４４に入力するために、所定の処理を行う。また、通信インタフェース部１４３は、テレビ装置１の制御用マイコン１０との通信を行う。
【００２２】
記憶部１４６は、メモリ部１１８の映像データ管理部１１８ｂのキャッシュあるいはワークメモリ等の１次メモリから、顔検出部１１４による視聴者の判定や笑顔判定部１４５による笑顔の判定に用いる画像データを一時的に保持する。
【００２３】
顔認証部１１０はまた、制御ブロック１０からの要求に応じてカメラ１１４から取り込んだ顔画像から視聴者（人物）及び笑顔度を判定し、その結果を制御ブロック１０へフィードバックする。なお、顔検出部１１４による視聴者の判定や笑顔判定部１４５による笑顔の判定は、既に実用化されているさまざまなアプリケーション（ソフトウエア）により実現できる。
【００２４】
なお、テレビ装置１は、ディスプレイ１１２の代わりに、あるいは並列に映像出力端子を備える構成であってもよい。また、テレビ装置１は、スピーカ１１３の代わりに、あるいは並列に音声出力端子を備える構成であってもよい。
【００２５】
図３に、自動撮影する条件を設定するためのフローチャートの一例を示す。
【００２６】
撮影の条件設定は、テレビ装置１がディスプレイ１１２に表示するメニューや、ネットワークを介してタブレット装置や携帯端末から行われる。
【００２７】
撮影の時間帯設定［２１］では、図４に示すように、自動撮影する時間帯を設定可能である。家族団欒の風景を撮影する場合、夕食の時間帯や、いわゆるゴールデンタイム等、家族が集まってテレビ装置１による番組を見ている時間帯が好ましい。時間帯としては、毎日であったり、曜日を限定したり、月の日にちの指定した時間帯でも良い（図４（［３１］））。
【００２８】
また時間帯の幅を狭めて決められた時間に撮影する事も可能であるが、そのタイミングで期待する被写体が揃っいない場合があるため、撮影時間に幅を持たせ、複数の画像を取得し、その中でサンプリングする方法が効果的である。
【００２９】
その場合、撮影の時間帯設定には時刻だけではなく、サンプリング間隔を指定させるのも良い（図４（［３２］）／図５／図６）。
【００３０】
保存の条件設定［２２］では、［２２］でサンプリングされたものから、保存に適した画像を選別する（図４（［３１−ＮＯ］））。選別は、ユーザが行う事も可能であるが、何年、何十年に渡って自動で撮影を続けるためには、不要な画像を取り除くために、自動的に選別する事が好ましい。
【００３１】
昨今、デジタルカメラでは、複数の顔認識や笑顔識別が一般的になっているが、その機能を使用するのが効果的である。条件として、家族の人数を指定する（図４（［３５］））、笑顔度の点数付けを行う（図４（［３６］）、が効果的である。なお、笑顔度の点数付けとは、顔識別単位での点数を積算したものである。例えば、指定された人数以上映っている画像で一番笑顔度が高いものが保存の候補とする。
【００３２】
指定された人数が映っていない場合は、一番多い人数が映っていて（図４（［３７］）、その中で一番笑顔度が高いものが候補とする（図４（［３７］〜［３６］）などであるが、笑顔度のチェックは無くても構わないし、逆に笑顔度が一番高いものを候補にする選択も可能である。なお、保存枚数は、設定した時間帯あたり、煩雑にならない様に１枚とすることも、枚数を指定する事も可能である。
【００３３】
保存先の設定［２３］では、画像の保存先を指定する。保存先としては、ＳＤカード、ＵＳＢメモリ、ＨＤＤ、光ディスク等でも良いが、何年にも亘って撮影し、保存する事を考えると、ネットワーク（クラウド）上のサービスが好適である。
【００３４】
なお、設定は、条件を変えない限りそのシステム（テレビ装置１）で、１度行えばよい（設定は、消去しない限り、保存するものとする）。
【００３５】
図４に、自動撮影実行時のフローチャートの一例を示す。
【００３６】
先ず、現時刻が撮影する時間帯かどうかを確認する［３１］。
【００３７】
撮影する時間帯でなければ、一次メモリ上で保存していない画像があるか否かを確認する［３４］。最初は、まだ撮影を行っていないので［３４−ＮＯ］となり、撮影時する時間帯になるまで、特に処理は行われない。
【００３８】
撮影する時間帯に至った場合［３１−ＹＥＳ］、前の撮影から所定の時間が経過したかどうかの確認を行う［３２］。仮に、撮影する間隔を、図５の［４３１］欄において、１０秒と設定した場合は、前の撮影から１０秒が経過するまで特に処理は行われない。
【００３９】
前の撮影から所定の時間が経過した場合［３２−ＹＥＳ］、カメラ１１４による撮影が行われる［３３］。
【００４０】
撮影後は、次の撮影時間であるかどうかがチェックされる［３１］。すなわち、撮影の時間帯か否かがチェックされる。撮影の時間帯であれば、前の撮影から所定の時間が経過したかがチェックされ［３２−ＹＥＳ］、上述の設定では、１０秒間隔で撮影が続けられる事になる［３２−ＹＥＳ］〜［３３］。
【００４１】
現時刻が撮影の時間帯では無くなった場合［３１−ＮＯ］、撮影した画像の保存のための処理が行われる。既に何枚か撮影が行われている場合、指定された人数が映っているか否かが判断されて［３５］、映っている場合は［３５−ＹＥＳ］、一番笑顔度が高いものが保存される［３６］。指定された人数が映っていない場合［３５−ＮＯ］は、一番多い人数の画像が抽出され［３７］、その中で一番笑顔度が高いものが保存される［３６］。このとき、保存する画像の候補としては、図６に示すように、例えば笑顔度欄［５１１］において、任意に指定できる。また、ペットが写っているかどうか、等を、ペット欄［５２１］により指定可能である。なお、保存（選択処理）が終了した場合、一次メモリ上の撮影された他の画像は、破棄される。
【００４２】
一方、［３６］で保存する画像に選択された画像は、場所や撮影時期が特定できるように、必要な属性を付けて保存される。
【００４３】
図５及び図６は、図３により説明した撮影の時間帯の設定画面及び図４により説明した保存対象とする画像の抽出方法を設定するＧＵＩ表示の一例を示す。なお、ＧＵＩ表示は、テレビ装置１のディスプレイ１１２に表示されるものであってもよいし、例えばタブレット装置やスマートフォン等において、表示部に表示されるものであってもよい。
【００４４】
図５が示す設定画面表示４０１においては、少なくとも「月」の指定が可能な月表示４１１と「日」の指定が可能な日表示４２１を含む（図４（［３１］）において設定）。なお、設定画面表示４０１は、時間帯指定、撮影間隔をそれぞれ設定可能な入力欄を、少なくとも含む。
【００４５】
図６が示す抽出方法設定画面表示５０１においては、少なくとも「人数」の指定が可能な人数表示欄、笑顔度を設定可能な笑顔度欄５１１及びペットが写ることを希望する場合の設定が可能なペット表示５２１、等を含む。
【００４６】
なお、撮影時には、通常テレビ装置１が再生している番組を視聴しており、笑顔度が高い画像を保存対象する理由の１つが、その時の番組に起因する場合が多いものと考えることができる。このため、カメラ１１４による画像の撮影時に視聴者が視聴していた番組（テレビ装置１が表示した画像）も保持して置き、カメラ１１４が撮影した画像が保存対象となった場合に、その時の番組の画像も保存するしておくことで、何故その笑顔になったのか後から知ることが可能となる。また、後から過去の撮影画像を見た時に、再び笑いを誘う事で、更に一家の融和の促進が期待できる。すなわち、テレビ装置１が再生している番組の画像（映像）は、カメラ１１４が撮影した画像と別個に管理するのではなく、関連づけて管理するのが好ましい。また、カメラ１１４が撮影した画像にテレビ装置１が再生している番組の画像を、縮小してマージする事も好適である。すなわち、図１１あるいは図１２に一例を示すが、カメラ１１４が撮影した画像を再生した際に、そのときのテレビ装置１が再生している番組をサブ画面またはサムネイル化して、同時に表示することがこのましい。また、マージするものは、テレビ装置１が再生している番組の画像の他に、撮影日に関連するアイコン、例えば誕生日、結婚記念日、季節もの等、でも良い。また、別のタイミングで保持しておいたテレビ装置１が再生している番組、例えばその日のトップニュース等の画像も好適である。
【００４７】
なお、カメラ１１４による撮影のタイミングを、例えば図８に示すように、テレビ装置１が再生している番組の画像上で知らせることも、効果的である。例えば、図８は、テレビ装置１が再生している番組がＣＭになる瞬間を検出し、撮影用の照明を兼ねる「白表示（画面）」等を表示するとともに、サブ画面に「写すよ〜！」等の表示７０１を表示してもよい。撮影に際しては、スピーカ１１３から、音声により、「写すよ〜！」等の出力を出力してもよい。また、タイミングを知らせる音声あるいは画像の出力例としては、撮影開始のカウントダウン音声（３秒前、２秒前、、、）や、画面への数字（秒）の表示、等であってもよい。
【００４８】
また、撮影時に、視聴者がテレビ装置１が再生している番組を見ている（視聴者の顔がカメラ１１４に向いている）ことを、図７に示すように、カメラ１１４を通じて取得する画像を、図２に示す顔認証部１１０の顔検出部１１４及び笑顔判定部１４５による笑顔の判定と一致させ、撮影される画像に写る視聴者の顔がテレビ画面（カメラ１１４）に向いており、かつ笑顔（笑い顔）となるタイミングを高めることも可能である。
【００４９】
図９及び図１０は、撮影した画像の表示例の一例を示す。
【００５０】
例えば、リモコン１２０により「見るナビ」画面が選択されると、図９に示すように、「私のフォルダ」、「だんらん（団欒）」、、、「鍵付フォルダ」等が表示される。視聴者が「だんらん」を選択すると、図１０に示すように、例えば月単位（あるいは年単位）のフォルダが表示される。
【００５１】
以下、視聴者がリモコン１２０あるいはタブレット装置やスマートフォン等から、任意のフォルダを開く制御入力を入力し、任意の画像を選択して表示させると、例えば図１１が示すように、視聴者がカメラ１１４すなわちテレビ装置１の映像を見ている状態の画像が表示される。このとき、画像に関連付けられている映像（画像）が存在する場合には、その映像が、例えばサブ画面に表示される。なお、表示対象の画像が古い場合には、表示サイズが、その時代の標準的なサイズに変形されてもよい（図１２）。また、表示画像の解像度を低く変更し、あるいはセピア調の色調として、年代を感じさせるような表示方法（エフェクト）を採用することも可能である。すなわち、再生する画像の撮影時の情報に基づいて、例えば前日の撮影、１年前の撮影など、懐かしいもので家族の視線の注目と笑いを誘うのに効果的である。
【００５２】
図１３は、「映像の構造化」方法と「任意区間検出」方法を用いて、番組の本編に含まれるＣＭ（コマーシャル）区間を検出するもので、「映像の構造化」処理パートにより、番組の時間方向に対して区切り情報ｍ１、ｍ２、ｍ３、ｍ４（無音区間）を検出し、例えば音声モードが変化せず連続している区間、あるいはステレオモードが連続している区間であるｍ１とｍ２との間ならびにｍ３とｍ４との間を「任意区間」に設定することで、特定された任意区間を「ＣＭ区間」として検出できる。なお、無音部と次の無音部との時間間隔が一定時間（Ａ、例えば１５秒）の倍数であるかどうかを判定することで、より高い精度で「ＣＭ区間」を検出できる。従い、図８に説明したテレビ装置１が再生している番組がＣＭになる瞬間を検出し、撮影用の照明を兼ねる「白表示（画面）」を、有益なタイミングで表示できる。なお、「ＣＭ区間」の直前の１フレーム（２フィールド）分をキャンセルする編集方法が用いられている場合、すなわち、タイムスタンプが「○○時ｘｘ分◇◇秒」の画面において、フレーム番号が「２８」から「○○時ｘｘ分◇◇秒＋１秒」でフレーム番号が「００」となるタイミングを検出することで、「白表示（画面）」が「ＣＭ区間」の先頭部分と重なりあう時間を、低減できる。
【００５３】
なお、図１４に示すように、複数のシーンに区切られた番組においては、シーン４は、番組の本編に引き続くＣＭ（コマーシャル）もしくは解説等であることが、例えば「番組情報」から取得できるので、シーン４の先頭に図８に示した照明用表示（白画面）を表示することで、撮影のための照明光を提供できる。
【００５４】
このように、実施形態は、家族の視線が集中するテレビ装置に一体的に用意されるカメラにより、だんらん（団欒）の時間帯に、顔認識技術を用いて自動的に最適な家族の団欒風景の撮影と保存を行う事で、長期に亘る家族の歴史を、手間無く、記録できる。
【００５５】
なお、保存されている画像の表示については、既に一般に行われている機能であるが、実施形態の「だんらん記録」は、何年後、あるいは何十年に亘る長期の家族の記録を行うものである。このため、昔の画像（撮影時期が古い画像）程、例えば、徐々にセピア色で表示する工夫等は、家族の歴史を感じさせるのに好適である。
【００５６】
また、上述の実施形態においては、カメラによる撮影は、指定された長さの動画とすることも可能である。また、撮影においては、３Ｄ撮影の機能、もしくはマルチアングルの撮影を適用することも可能である。
【００５７】
さらに、撮影は、テレビ装置の映像が撮影に適した映像が表示されている時（表示画面が明るい場面）であることが好ましい。また、表示中の画面の色情報に基づいて撮影画像の色補正を自動的に行うことも可能である。この場合、強いちらつきにならない様に緩やかに輝度の調整を行うことが好ましい。
【００５８】
なお、撮影のための光源に、テレビ装置の画面の表示を、例えば「白表示（画面）」とすることが好ましい。この場合、ＣＭ区間等の映像の切れ目に、白色の映像（「白表示（画面）」）を、短期間表示し、その間に撮影を行うことが好ましい。
【００５９】
また、撮影時のテレビ番組の画面（表示内容）を、撮影した画像に関連づけて保存することが好ましい。なお、関連付けて保存するテレビ番組の画面（表示内容）は、例えば、その日のニュース映像や、ニュースの一覧画面であることが好ましい。なお、保存する番組の映像は、撮影した画像に埋め込んで保存することも可能である。
【００６０】
また、撮影した日時と、例えば誕生日、記念日等のあらかじめ登録した情報とを用い、例えば、ケーキマーク等を、保存映像に合成することが可能である。なお、季節ごと（正月、節分、桃の節句）のアイコン画像を、撮影した日時と関連付けて保存画像に合成することも可能である。
【００６１】
なお、実施形態の撮影は、長期間にわたり家族の風景を取り続けることから、画像や、映像の蓄積は、クラウド上のサービスを利用することが好ましい。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１…電子機器（テレビジョン受信装置）、１０…制御マイコン、１１０…顔認識部、１１２…表示装置（ディスプレイ）、１１４…撮影装置（カメラ）、１１８…記憶装置（メモリ）、１４４…顔検出部、１４５…笑顔判定部。
【図１】
2014128008.tif 000003
【図２】
2014128008.tif 000004
【図３】
2014128008.tif 000005
【図４】
2014128008.tif 000006
【図５】
2014128008.tif 000007
【図６】
2014128008.tif 000008
【図７】
2014128008.tif 000009
【図８】
2014128008.tif 000010
【図９】
2014128008.tif 000011
【図１０】
2014128008.tif 000012
【図１１】
2014128008.tif 000013
【図１２】
2014128008.tif 000014
【図１３】
2014128008.tif 000015
【図１４】
2014128008.tif 000016